(57)【要約】【課題】引き戸の種類に関わらず空錠検知を安定して行うことができる防犯システムを提供する。【解決手段】窓が閉じられる位置に窓体２と窓体２’が移動しているときに赤外線センサ１２がガラス１０’に向けて発する赤外線は反射版１１で反射され、赤外線センサ１２は反射した赤外線を受信することで窓の開閉状態を検知し、装置本体１００ａは施錠位置にあるハンドル５をロックするスライドレバー６がロック位置にあれば接点がオンするマイクロスイッチ１７をその内部に備えており、赤外線センサ１２とマイクロスイッチ１７との各検出信号によって空錠検知を行う。【選択図】        図１
2004326609.tif 000002
【特許請求の範囲】
【請求項１】
引き戸を開閉する枠体若しくは造営物側に設けられ、引き戸を閉じた状態で解錠位置から施錠位置に回動することで他の枠体若しくは造営物側に設けられた受け具に係脱自在に係止して施錠する掛け具と、前記受け具を設けた枠体若しくは造営物に取り付けた反射板に向けて信号を発して、反射板で反射した前記信号を引き戸を閉じた状態で受信することで引き戸の開閉状態を検知する開閉検知手段とを備えた施錠装置と、
前記開閉検知手段の検知結果を利用して空錠報知する報知手段とを具備することを特徴とする防犯システム。
【請求項２】
引き戸を開閉する枠体若しくは造営物側に設けられ、引き戸を閉じた状態で解錠位置から施錠位置に回動することで他の枠体若しくは造営物側に設けられた受け具に係脱自在に係止して施錠する掛け具と、少なくとも前記掛け具が施錠位置あるいは解錠位置にあることを検知する施錠／解錠位置検知手段と、前記受け具を設けた枠体若しくは造営物に取り付けたマグネットの磁気を引き戸を閉じた状態で検知することで引き戸の開閉状態を検知する開閉検知手段と、受け具に係止した前記掛け具の受け具に当接する箇所に取着され、前記掛け具が受け具に係止したことを検知する係止検知手段とを備えた施錠装置と、
前記施錠／解錠位置検知手段の検知結果が施錠状態で、且つ前記係止検知手段の検知結果が係止していない状態であれば空錠報知する報知手段とを具備することを特徴とする防犯システム。
【発明の詳細な説明】
【０００１】
【発明の属する技術分野】
本発明は、引き戸を施錠するクレセント錠のような施錠装置の空錠を検知できる防犯システムに関するものである。
【０００２】
【従来の技術】
図９は、ガラス１０を嵌め込んだ４つの窓体（枠体）２ｂからなる引き戸構成の窓を家屋等の壁面に設置した従来例１であり、図１０（ａ），（ｂ）にその両端の要部拡大図を示す。鴨居５０に設置したサッシ２ｃの側面、または上面にはリードスイッチ６０が各々取り付けられ、両端の窓体２ｂの縦桟、及び中央の枠体２ｂの横桟にはマグネット７０が各々取り付けられている。そして、窓が閉じられる位置に窓体２ｂが移動しているときにマグネット７０の磁気でリードスイッチ６０を駆動するようになっている。つまりリードスイッチ６０が窓の開閉状態を検知するようになっている。
【０００３】
また従来例２として、引き戸構成の窓に用いる施錠装置の本体部にリードスイッチと、錠の施解錠を検知するマイクロスイッチとを備えるとともに、これらの検知結果をワイヤレス信号で送信する送信部を本体部に一体に設けた窓施錠装置も提供されている。この場合も、リードスイッチが相手側の引き戸や窓の桟に取り付けられたマグネットで駆動されることで窓の開閉状態を検知するようになっている。（例えば、特許文献１参照。）
【０００４】
【特許文献１】
特開平７−２３３６６７号公報（段落番号００１２）
【０００５】
【発明が解決しようとする課題】
上記従来例１では図１１に示すように、窓体２ｂが検知距離Ｌａ１０以下に閉じた場合にマグネット７０の磁気によってリードスイッチ６０がオンし、窓体２ｂが検知距離Ｌａ１０以上開いた場合にはリードスイッチ６０はオフする。すなわち、検知距離Ｌａ１０を境にして窓の開閉状態を検知できる。しかし、施錠装置の施錠状態は検知できず、したがって施錠装置が施錠状態で且つ窓が開状態であるいわゆる空錠を検知することはできない。
【０００６】
また、上記従来例２では空錠を検知できるが、窓の種類によってはサッシ等が異なり、リードスイッチとマグネットとの距離も異なる。ここで施錠装置が解錠状態で窓を開いていくと、ある距離でリードスイッチがオフして、窓の開状態を検出する。この距離を空錠検知距離と称し、この空錠検知距離以上窓が開けば空錠状態を検出できる。
【０００７】
しかし、リードスイッチとマグネットとの距離は窓の種類によって異なり、リードスイッチとマグネットとの距離が変化すれば、当然この空錠検知距離も変化する。したがって、窓の種類よって空錠検知の感度が変わったり、あるいは空錠検知が不可能になることがある。
【０００８】
本発明は、上記事由に鑑みてなされたものであり、その目的は、引き戸の種類に関わらず空錠検知を安定して行うことができる防犯システムを提供することにある。
【０００９】
【課題を解決するための手段】
請求項１の発明は、引き戸を開閉する枠体若しくは造営物側に設けられ、引き戸を閉じた状態で解錠位置から施錠位置に回動することで他の枠体若しくは造営物側に設けられた受け具に係脱自在に係止して施錠する掛け具と、前記受け具を設けた枠体若しくは造営物に取り付けた反射板に向けて信号を発して、反射板で反射した前記信号を引き戸を閉じた状態で受信することで引き戸の開閉状態を検知する開閉検知手段とを備えた施錠装置と、前記開閉検知手段の検知結果を利用して空錠報知する報知手段とを具備することを特徴とする。
【００１０】
請求項２の発明は、引き戸を開閉する枠体若しくは造営物側に設けられ、引き戸を閉じた状態で解錠位置から施錠位置に回動することで他の枠体若しくは造営物側に設けられた受け具に係脱自在に係止して施錠する掛け具と、少なくとも前記掛け具が施錠位置あるいは解錠位置にあることを検知する施錠／解錠位置検知手段と、前記受け具を設けた枠体若しくは造営物に取り付けたマグネットの磁気を引き戸を閉じた状態で検知することで引き戸の開閉状態を検知する開閉検知手段と、受け具に係止した前記掛け具の受け具に当接する箇所に取着され、前記掛け具が受け具に係止したことを検知する係止検知手段とを備えた施錠装置と、前記施錠／解錠位置検知手段の検知結果が施錠状態で、且つ前記係止検知手段の検知結果が係止していない状態であれば空錠報知する報知手段とを具備することを特徴とする。
【００１１】
【発明の実施の形態】
以下、本発明の実施の形態を図面に基づいて説明する。
【００１２】
（実施形態１）
図１は本実施形態のクレセント錠１を備えた窓施錠装置１００を示している。窓施錠装置１００は引き戸構成の窓体（枠体）２の縦桟２ａの側面に取り付けた状態を示しており、この装置本体１００ａの側面にはクレセント錠１の掛け具であるクレセント３と、このクレセント３を他方の窓体２’側に設けた受け具４に対して係脱自在に施錠位置と解錠位置との間で回動させる操作手段であるハンドル５が回動自在に取り付けられている。また装置本体１００ａの室内側に面した前面には、クレセント錠１のクレセント３を受け具４に係止されている状態から離脱方向に移動させる操作ができないようにハンドル５をロックするロック手段のスライドレバー６が上下移動自在に配設されている。
【００１３】
更に前記ハンドル５の上方の装置本体１００ａの側面には装置本体１００ａ内のブザーからなる報知部７（図２参照）の音出し孔８が開口し、またスライドレバー６の上方の装置本体１００ａの前面には報知部７からの報知をオン／オフするためのスイッチＳＷの操作釦９が露出されている。
【００１４】
そして装置本体１００ａの窓体２’に対向した面の上方には赤外線センサ１２が取り付けられ、窓体２と共に引き違い形の窓を構成する前記窓体２’側のガラス１０’の側端部位には赤外線を反射する反射板１１が取着され、窓が閉じられる位置に窓体２と窓体２’が移動しているときに赤外線センサ１２がガラス１０’に向けて発する赤外線は反射版１１で反射され、赤外線センサ１２は反射した赤外線を受信する。つまり赤外センサ１２が窓の開閉状態を検知するようになっている。
【００１５】
また装置本体１００ａの内部には、施錠位置にあるハンドル５をロックするスライドレバー６がロック位置にあれば接点がオンするマイクロスイッチ１７（図２参照）を備えている。つまり、このマイクロスイッチ１７はスライドレバー６がロック位置にあってダブルロック状態にあるか否かを検知するようになっている。
【００１６】
図２は上記回路部の回路構成を示しており、次にこの回路部について説明する。
【００１７】
窓施錠装置１００側に設けられる回路は、赤外線センサ１２及びマイクロスイッチ１７と、前記ブザーからなる報知部７と、窓施錠装置１００側での赤外線センサ１２及びマイクロスイッチ１７の検知信号の信号処理とブザーからなる報知部７の駆動制御を含めた制御処理を担うマイクロコンピュータから構成された信号処理部２０と、赤外線センサ１２の検知信号、マイクロスイッチ１７の検知信号に対応して信号処理部２０から出力される検知データを変調し、電波を媒体とする所定形式のワイヤレス信号によりアンテナ２５を介して送信する無線送信部２１と、信号処理部２０により基準周波数等が制御され、無線送信部２１の送信周波数を制御するＰＬＬ制御部２２と、信号処理部２０の動作プログラムや必要なデータを格納した記憶部２３と、前記スイッチＳＷを含む操作部２４とで構成される。
【００１８】
信号処理部２０は、赤外線センサ１２の検知信号から、窓体２，２’により窓が閉じられた状態にあるのか、開いた状態にあるかを判定し、さらにマイクロスイッチ１７の検知信号からダブルロック状態にあるのか否かを判定する機能と、この判定結果に基づいて報知部７の駆動を制御する機能と、赤外線センサ１２，マイクロスイッチ１７から入力した検知信号を所定形式の検知データとして無線送信部２１へ出力する処理と、ＰＬＬ制御部２２の制御を行う機能などを備えている。
【００１９】
尚スイッチＳＷは後述する警報音を報知部７から報知させるか、報知させないかを設定するスイッチであって、上述のスライドレバー６をロック位置側に移動させるとメカニカルに連動してオンするようになっている。また逆にスイッチＳＷの操作釦９をオン状態からオフ操作すると、オフ操作に連動してメカニカル的にロック手段のスライドレバー６をロック解除位置へ移動させるようになっている。尚この構成は特に図示しないが、適宜な構成を用いれば良い。
【００２０】
ところで本実施形態の防犯システムは、前記窓施錠装置１００側から送信されるワイヤレス信号を受信し、ワイヤレス信号に含まれる赤外線センサ１２，マイクロスイッチ１７の検知信号に対応する検知データにより窓の開閉状態等を表示するメインコントローラ（図示なし）とで構成される。
【００２１】
次に本発明の防犯システムの動作について説明する。
【００２２】
まず、窓を閉じるように所定の位置に窓体２，２’を移動させると、窓体２’側の反射板１１に対向した装置本体１００ａの赤外線センサ１２は窓が閉じられていることを示す検知信号を出力している。
【００２３】
そして図１に示すように窓体２側のクレセント錠１のクレセント３を窓体２’側の受け具４に係止して施錠すると共に、上述のロック手段のスライドレバー６を下方にスライドさせて、クレセント錠１をロックした状態にすると、リミットスイッチ１７はクレセント錠１の施錠状態がロックされていることを示す検知信号をスイッチ出力として出力している。また、このとき、上述のようにスイッチＳＷはメカニカルに連動しオン状態となっている。
【００２４】
このような状態で、スライドレバー６によってダブルロックのオン・オフ操作が行われる度に、その検知信号がメインコントローラに送信され、メインコントローラ側のモードによってはメインコントローラ側で警報が鳴る。なお、ダブルロックのオン・オフ操作によって窓施錠装置１００の報知部７のブザーは鳴らない。
【００２５】
また、メインコントローラ側のモードに関係なく、スイッチＳＷの操作釦９がオン状態のとき窓を開けたり、窓が開いているときに操作釦９をオン操作すると報知部７のブザーが鳴る。このブザーは操作釦９をオフ操作するか、電池がなくなるまで鳴り続ける。なお、この操作釦９のオン・オフ操作はメインコントローラには送信しない。
【００２６】
次に、本実施形態の空錠検知についてその動作を説明する。まず、図３（ａ）は施錠時の状態を下方から見たもので、図３（ｂ）は施錠時の状態を上方から見たものであって、窓施錠装置１００は、引き戸構成の窓体２の縦桟２ａの側面に取り付けられ、窓体２にはガラス１０が嵌め込まれている。一方窓体２と共に引き違い形の窓を構成する窓体２’側のガラス１０’の側端部位には反射板１１が取着されている。そして、窓は閉じた状態で赤外線センサ１２は反射板１１に対向した位置にあって、赤外ＬＥＤ１２ａが発する赤外線は反射板１１で反射し、その反射波を受信することで窓の閉状態を検知している。また、クレセント３は受け具４に係止している。
【００２７】
次に、図４は空錠時の状態を下方から見たもので、窓は完全には閉じておらず、クレセント３は受け具４に係止していない状態で、施錠位置に回動している。このとき赤外線センサ１２は、空錠検知距離Ｌａ０以上開くまでは赤外線センサ１２が反射波を受信して窓の閉状態を検知しており、空錠検知距離Ｌａ０以上開くと窓の開状態を検知する。本実施形態では、赤外線の反射によって窓の開閉状態を検知しており、反射板１１と赤外線センサ１２（窓施錠装置１００）との距離Ｙ１に関わらず窓の開閉状態を検知できる。したがって、窓の種類によって距離Ｙ１が異なる場合でも空錠検知を安定して行うことができるのである。
【００２８】
そして窓が空錠検知処理Ｌａ０以上開いた状態でクレセント３を施錠位置に回動させ、スライドレバー６をロック位置側に移動させると、赤外線センサ１２の検知信号が窓の開状態を示し、マイクロスイッチ１７の検知信号がロック状態を示すので、信号処理部２０は空錠と判断し、報知部７から空錠を示す警告音を報知させる。つまり、スライドレバー６を操作した人に即時に空錠であることを報知する。
【００２９】
この警告音を聞いて空錠であることを知れば、スライドレバー６をロック解除位置へ移動させることでマイクロスイッチ１７の検知信号がロック解除位置を示す信号となるため、信号処理部２０は報知部７の報知を停止させる。あるいは、スイッチＳＷをオフとしてもロックは連動して解除され、同様に報知は停止される。
【００３０】
一方、一定時間経過しても空錠状態が解消されなければ、警告音から更に音量の大きな警報音が報知されるように信号処理部２０は報知部７を駆動制御し、同時に異常を示すデータを無線送信部２１からワイヤレス信号でメインコントローラへ送信させる。
【００３１】
メインコントローラでは、この異常を示すデータを受信すると、窓に異常発生と判断し、異常発生を示す警告音を報知させるとともに対応する表示を行う。
【００３２】
また、装置本体１００ａの内部に、ハンドル５を施錠方向に回動させてクレセント３が施錠位置にある状態（図１の状態）で接点がオンするマイクロスイッチ１８（図２破線参照）を備え、このマイクロスイッチ１８によってクレセント３が施錠位置あるいは解錠位置にあることを検知して、赤外線センサ１２の検知信号が窓の開状態を示し、マイクロスイッチ１８の検知信号が施錠位置を示す状態であれば信号処理部２０は空錠と判断してもよい。
【００３３】
（実施形態２）
本実施形態の全体構成は、図５、図６に示され、実施形態１と同様の構成には同一の符号を付して説明は省略する。
【００３４】
本実施形態では、窓体２と共に引き違い形の窓を構成する窓体２’側のガラス１０’の側端部位には板状のマグネット１３が取着され、窓が閉じられる位置に窓体２と窓体２’が移動しているときにマグネット１３の磁気で装置本体１００ａ内のリードスイッチ１４を駆動するようになっている。つまりリードスイッチ１４が窓の開閉状態を検知するようになっている。
【００３５】
また弧状のクレセント３の内面には圧力センサ１５が露出しており、圧力センサ１５は、クレセント３が施錠位置に回動して受け具４に係止した際に受け具４に当接し押圧されることでオンする接点を有している。つまり、この圧力センサ１５はクレセント３が受け具４に係止しているか否かを検知するようになっている。
【００３６】
さらに装置本体１００ａの内部には実施形態１同様に、施錠位置にあるハンドル５をロックするスライドレバー６がロック位置にあれば接点がオンするマイクロスイッチ１７（図６参照）を備えている。
【００３７】
図６は回路部の回路構成を示しており、次にこの回路部について実施形態１と異なる点のみ説明する。信号処理部２０は、窓施錠装置１００側でのリードスイッチ１４、圧力センサ１５、及びマイクロスイッチ１７の検知信号の信号処理とブザーからなる報知部７の駆動制御を含めた制御処理を担うマイクロコンピュータから構成されており、リードスイッチ１４の検知信号から、窓体２，２’により窓が閉じられた状態にあるのか、開いた状態にあるかを判定し、圧力センサ１５の検知信号からクレセント３が受け具４に係止しているか否かを判定し、さらにマイクロスイッチ１７の検知信号からダブルロック状態にあるのか否かを判定する機能と、この判定結果に基づいて報知部７の駆動を制御する機能と、リードスイッチ１４，圧力センサ１５，マイクロスイッチ１７から入力した検知信号を所定形式の検知データとして無線送信部２１へ出力する処理と、ＰＬＬ制御部２２の制御を行う機能などを備えている。
【００３８】
無線送信部２１はリードスイッチ１４、圧力センサ１５、マイクロスイッチ１７の各検知信号に対応して信号処理部２０から出力される検知データを変調し、電波を媒体とする所定形式のワイヤレス信号によりアンテナ２５を介して送信する。
【００３９】
そして本実施形態の防犯システムは、窓施錠装置１００側から送信されるワイヤレス信号を受信し、ワイヤレス信号に含まれるリードスイッチ１４，圧力センサ１５、マイクロスイッチ１７の各検知信号に対応する検知データにより窓の開閉状態等を表示するメインコントローラ（図示なし）とで構成される。
【００４０】
次に本発明の防犯システムの動作について説明する。
【００４１】
まず、窓を閉じるように所定の位置に窓体２，２’を移動させると、窓体２’側のマグネット１３に近接した装置本体１００ａのリードスイッチ１４は窓が閉じられていることを示す検知信号をスイッチ出力として出力している。
【００４２】
そして図５に示すように窓体２側のクレセント錠１のクレセント３を窓体２’側の受け具４に係止して施錠すると、圧力センサ１５はクレセント３が受け具４に係止していることを示す検知信号をスイッチ出力として出力している。そして、ロック手段のスライドレバー６を下方にスライドさせて、クレセント錠１をロックした状態にすると、マイクロスイッチ１７はクレセント錠１の施錠状態がロックされていることを示す検知信号をスイッチ出力として出力している。
【００４３】
さらにスライドレバー６によってダブルロックのオン・オフ操作が行われる度に、その検知信号がメインコントローラに送信され、メインコントローラ側のモードによってはメインコントローラ側で警報が鳴る。
【００４４】
また、メインコントローラ側のモードに関係なく、スイッチＳＷの操作釦９がオン状態のとき窓を開けたり、窓が開いているときに操作釦９をオン操作すると報知部７のブザーが鳴る。このブザーは操作釦９をオフ操作するか、電池がなくなるまで鳴り続ける。なお、この操作釦９のオン・オフ操作はメインコントローラには送信しない。
【００４５】
次に、本実施形態の空錠検知についてその動作を説明する。なお、実施形態１と同様の動作については説明は省略する。まず、図７（ａ）は施錠時の状態を下方から見たもので（クレセント３及び受け具４のみ断面図）、窓施錠装置１００は、引き戸構成の窓体２の縦桟２ａの側面に取り付けられ、窓体２にはガラス１０が嵌め込まれている。一方窓体２と共に引き違い形の窓を構成する窓体２’側のガラス１０’の側端部位には板状のマグネット１３が取着されている。そして、窓は閉じた状態で、クレセント３は受け具４に係止しており、圧力センサ１５は受け具４に当接、押圧されて、クレセント３の係止状態を検出している。
【００４６】
図７（ｂ）は施錠時の状態を上方から見たもので、リードスイッチ１４はマグネット１３に対向した位置にあって、窓の閉状態を検知している。
【００４７】
次に、図８は空錠時の状態を下方から見たもので、窓は完全には閉じておらず、クレセント３は受け具４に係止していない状態で施錠位置に回動しており、圧力センサ１５は押圧されておらず、クレセント３が受け具４に係止していない状態を検出している。このときリードスイッチ１４は、空錠検知距離Ｌａ０以上開くまではマグネット１３の磁気によって駆動されて窓の閉状態を検知しており、空錠検知距離Ｌａ０以上開くと窓の開状態を検知する。
【００４８】
またクレセント３が受け具４に係止していない状態でスライドレバー６をロック位置側に移動させると、圧力センサ１５の検知信号がクレセント３が受け具４に係止していない状態を示し、マイクロスイッチ１７の検知信号がロック状態を示すので、信号処理部２０は空錠と判断し、報知部７から空錠を示す警告音を報知させる。つまり、スライドレバー６を操作した人に即時に空錠であることを報知する。
【００４９】
このように本実施形態では、窓の開閉検知と空錠検知とを別々に検知しており、リードスイッチ１４の開閉検知に関わらず空錠検知を行うことができる。したがって、窓の種類に関わらず空錠検知を安定して行うことができるのである。
【００５０】
また、装置本体１００ａの内部に、ハンドル５を施錠方向に回動させてクレセント３が施錠位置にある状態（図５の状態）で接点がオンするマイクロスイッチ１８（図６破線参照）を備え、このマイクロスイッチ１８によってクレセント３が施錠位置あるいは解錠位置にあることを検知して、圧力センサ１５の検知信号がクレセント３が受け具４に係止していない状態を示し、マイクロスイッチ１８の検知信号が施錠位置を示す状態であれば信号処理部２０は空錠と判断してもよい。
【００５１】
なお、実施形態１，２では窓施錠装置１００及び受け具４を窓体２，２’側に設けているが、窓施錠装置１００と受け具４とのうちいずれか一方を窓体側に設け、いずれか他方を屋内の壁面等の造営物側に設けてもよい。
【００５２】
【発明の効果】
請求項１の発明によれば、信号の反射による引き戸の開閉検知により施錠装置と反射板との距離に関わらず窓の開閉状態を検知でき、したがって、窓の種類に関わらず空錠検知を安定して行うことができるという効果がある。
【００５３】
請求項２の発明によれば、窓の開閉検知と空錠検知とを別々に検知することで、開閉検知に関わらず空錠検知を行うことができ、したがって、窓の種類に関わらず空錠検知を安定して行うことができるという効果がある。
【図面の簡単な説明】
【図１】本発明の実施形態１を示す図である。
【図２】同上に用いる窓施錠装置側の回路構成図である。
【図３】（ａ）同上の施錠状態を示す下面図である。
（ｂ）同上の施錠状態を示す上面図である。
【図４】同上の空錠状態を示す下面図である。
【図５】本発明の実施形態２を示す図である。
【図６】同上に用いる窓施錠装置側の回路構成図である。
【図７】（ａ）同上の施錠状態を示す下面図である。
（ｂ）同上の施錠状態を示す上面図である。
【図８】同上の空錠状態を示す下面図である。
【図９】従来例１を示す図である。
【図１０】（ａ）同上の要部拡大図である。
（ｂ）同上の要部拡大図である。
【図１１】同上の空錠状態を示す図である。
【符号の説明】
１  クレセント錠
２，２’  窓体
２ａ  縦桟
３  クレセント
４  受け具
５  ハンドル
６  スライドレバー
８  音出し孔
９  操作釦
１０，１０’  ガラス
１１  反射板
１２  赤外線センサ
１００  窓施錠装置
１００ａ  装置本体
ＳＷ  スイッチ
【図１】
2004326609.tif 000003
【図２】
2004326609.tif 000004
【図３】
2004326609.tif 000005
【図４】
2004326609.tif 000006
【図５】
2004326609.tif 000007
【図６】
2004326609.tif 000008
【図７】
2004326609.tif 000009
【図８】
2004326609.tif 000010
【図９】
2004326609.tif 000011
【図１０】
2004326609.tif 000012
【図１１】
2004326609.tif 000013